(57)【要約】      （修正有）【課題】無線通信システムにおける基準信号の送信および受信のための方法および装置を提供する。【解決手段】共通基準信号シーケンスは、ネットワーク側の周波数範囲構成に基づいて生成され、共通基準信号シーケンスは、それら自体の基準信号送信構成がそれぞれ割り当てられた少なくともいくつかの端末装置によって共有される。共通基準信号シーケンスおよびシーケンス構成情報は、端末装置に送信され、シーケンス構成情報は、端末装置に対して送信された基準信号シーケンスを取得することができるパラメータを示す。１つの共通基準信号シーケンスのみが、少なくともいくつかの端末装置によって生成され共有される。【選択図】図４
2020167712.tif 000002
【特許請求の範囲】
【請求項１】
基地局から第１の位置および第１の幅を識別する情報を受信し、
前記第１の幅によって、周波数領域における前記第１の位置から始まるユーザ機器（ＵＥ:User Equipment）固有の帯域幅の幅が識別され、前記ＵＥ固有の帯域幅は、セルにおける、セル固有帯域幅の一部であり、
チャネル状態情報基準信号（ＣＳＩ−ＲＳ: Channel State Information Reference Signal）のための第１のシーケンスを生成し、前記第１のシーケンスは複数のエレメントを有し、前記複数のエレメントにおける各エレメントは第１のインデックスにより定義され、前記第１のインデックスの各値は、複数の第２の位置の各位置を示す第２のインデックスの各値にそれぞれ関連づけられ、前記第２のインデックスは、前記周波数領域におけるセル固有の基準位置に対して番号付けされ、
前記複数の第２の位置は、前記ＵＥ固有の帯域幅内に位置しており、
前記セル固有の基準位置は、前記セル内の各ＵＥに共通であり、
前記チャネル状態情報基準信号を、前記複数の第２の位置にて受信する、
ユーザ機器の方法。
【請求項２】
前記ＵＥ固有の帯域幅は、前記周波数領域において、他のＵＥ用に構成されたＵＥ固有の帯域幅と重複し得る、
請求項１に記載の方法。
【請求項３】
前記ＵＥは、前記ＵＥ固有の帯域幅内でスケジュールされることが可能である、
請求項１又は２に記載の方法。
【請求項４】
前記第１のシーケンスは、前記ＵＥ固有の帯域幅に対応する、
請求項１から３のいずれか１つに記載の方法。
【請求項５】
前記ＵＥ固有の帯域幅は、前記セル内の各ＵＥの間で異なる値をとり得る、
請求項１から４のいずれか１つに記載の方法。
【請求項６】
第１の位置および第１の幅を識別する情報をユーザ機器（ＵＥ:User Equipment）に送信し、
前記第１の幅によって、周波数領域における前記第１の位置から始まるＵＥ固有の帯域幅の幅が識別され、前記ＵＥ固有の帯域幅は、セルにおける、セル固有帯域幅の一部であり、
チャネル状態情報基準信号（ＣＳＩ−ＲＳ: Channel State Information Reference Signal）のための第１のシーケンスを生成し、前記第１のシーケンスは複数のエレメントを有し、前記複数のエレメントにおける各エレメントは第１のインデックスにより定義され、前記第１のインデックスの各値は、複数の第２の位置の各位置を示す第２のインデックスの各値にそれぞれ関連づけられ、前記第２のインデックスは、前記周波数領域におけるセル固有の基準位置に対して番号付けされ、
前記複数の第２の位置は、前記ＵＥ固有の帯域幅内に位置しており、
前記セル固有の基準位置は、前記セル内の各ＵＥに共通であり、
前記チャネル状態情報基準信号を、前記複数の第２の位置にて送信する、
基地局の方法。
【請求項７】
前記ＵＥ固有の帯域幅は、前記周波数領域において、他のＵＥ用に構成されたＵＥ固有の帯域幅と重複し得る、
請求項６に記載の方法。
【請求項８】
前記基地局は、前記ＵＥ固有の帯域幅内でスケジューリングを実行することができる、
請求項６又は７に記載の方法。
【請求項９】
前記第１のシーケンスは、前記ＵＥ固有の帯域幅に対応する、
請求項６から８のいずれか１つに記載の方法。
【請求項１０】
基地局から第１の位置および第１の幅を識別する情報を受信するように構成された送受信機を備え、
前記第１の幅によって、周波数領域における前記第１の位置から始まるユーザ機器（ＵＥ:User Equipment）固有の帯域幅の幅が識別され、前記ＵＥ固有の帯域幅は、セルにおける、セル固有帯域幅の一部であり、
チャネル状態情報基準信号（ＣＳＩ−ＲＳ: Channel State Information Reference Signal）のための第１のシーケンスを生成するように構成されたコントローラを備え、前記第１のシーケンスは複数のエレメントを有し、前記複数のエレメントにおける各エレメントは第１のインデックスにより定義され、前記第１のインデックスの各値は、複数の第２の位置の各位置を示す第２のインデックスの各値にそれぞれ関連づけられ、前記第２のインデックスは、前記周波数領域におけるセル固有の基準位置に対して番号付けされ、
前記複数の第２の位置は、前記ＵＥ固有の帯域幅内に位置しており、
前記セル固有の基準位置は、前記セル内の各ＵＥに共通であり、
前記送受信機は、前記チャネル状態情報基準信号を、前記複数の第２の位置にて受信するように構成される、
ユーザ機器。
【請求項１１】
第１の位置および第１の幅を識別する情報をユーザ機器（ＵＥ:User Equipment）に送信するように構成された送受信機を備え、
前記第１の幅によって、周波数領域における前記第１の位置から始まるＵＥ固有の帯域幅の幅が識別され、前記ＵＥ固有の帯域幅は、セルにおける、セル固有帯域幅の一部であり、
チャネル状態情報基準信号（ＣＳＩ−ＲＳ: Channel State Information Reference Signal）のための第１のシーケンスを生成するように構成されたコントローラを備え、前記第１のシーケンスは複数のエレメントを有し、前記複数のエレメントにおける各エレメントは第１のインデックスにより定義され、前記第１のインデックスの各値は、複数の第２の位置の各位置を示す第２のインデックスの各値にそれぞれ関連づけられ、前記第２のインデックスは、前記周波数領域におけるセル固有の基準位置に対して番号付けされ、
前記複数の第２の位置は、前記ＵＥ固有の帯域幅内に位置しており、
前記セル固有の基準位置は、前記セル内の各ＵＥに共通であり、
前記送受信機は、前記チャネル状態情報基準信号を、前記複数の第２の位置にて送信するように構成される、
基地局。
【発明の詳細な説明】
【技術分野】
【０００１】
本開示の非限定的で例示的な実施形態は、一般に無線通信技術の分野に関し、より詳細には無線通信システムにおける基準信号送信および受信のための方法および装置に関する。
【背景技術】
【０００２】
ＮＲシステムまたはネットワークとも呼ばれる新しい無線アクセスシステムは、次世代の通信システムである。第３世代パートナーシッププロジェクト（３ＧＰＰ）ワーキンググループのための無線アクセスネットワーク（ＲＡＮ）＃７１会議で、ＮＲシステムの研究が承認された。ＮＲシステムは、Technical Report TR 38.913で定義されているすべての使用シナリオ、要件、および展開シナリオに対処する単一のテクニカルフレームワークを目的として、最大１００ＧＨｚの周波数を検討し、これには、拡張モバイルブロードバンド、大規模マシンタイプの通信、超高信頼性および低遅延通信などの要件が含まれる。
【０００３】
この研究項目の初期作業では、無線プロトコルの構造とアーキテクチャに関して何が求められているかについて共通の理解を得ることに高い優先順位を割り当て、以下の分野の進展に焦点を当てる必要がある。
・新しいＲＡＴのための基本的な物理層信号構造
・ＯＦＤＭに基づく波形、非直交波形およびマルチアクセスの潜在的サポート
・ＦＦＳ：正当な利得を示す場合の他の波形
・基本的なフレーム構造
・チャンネルコーディング方式
【０００４】
さらに、次のような新しい無線アクセスを可能にするために必要な技術的特徴を研究し特定することも必要である。
・同一の連続したスペクトルブロック上の異なるサービスおよびユースケースに対するトラフィックの効率的な多重化
【０００５】
さらに、動的／柔軟な帯域幅割り当てと設定可能なＲＳパターン（密度を含む）もＲＡＮ１で合意された。
【０００６】
ダイナミック／フレキシブル帯域幅割り当ては、ダイナミック／フレキシブルおよびＵＥ固有の帯域幅割り当てがＮＲでサポートされることを意味する。したがって、そのような場合、ＵＥはネットワーク側で全システム帯域幅を知らず、異なるＵＥは異なる基準信号シーケンスを必要とする可能性があり、既存のＲＳシーケンス生成ソリューションを使用してＵＥ用の共有ＲＳシーケンスを生成することは不可能である。他方で、ＲＳパターンもまた構成可能（例えば、時間／または周波数領域における構成可能な密度）とすることができ、それ故、レガシーＲＳシーケンスは、特にマルチユーザスケジューリングに関して、異なるパターンに対する要件を満たすことができない。
【発明の概要】
【発明が解決しようとする課題】
【０００７】
本開示では、先行技術における問題の少なくとも一部を軽減または少なくとも軽減するために、無線通信システムにおいて基準信号を送受信するための新しい解決策が提供される。
【課題を解決するための手段】
【０００８】
本開示の第１の態様によれば、無線通信システムにおける基準信号送信方法が提供される。この方法は、ネットワーク側の周波数範囲構成に基づいて、それら自身の基準信号送信構成をそれぞれ割り当てられた端末装置の少なくともいくつかによって共有される共通基準信号シーケンスを生成することと、 前記共通基準信号シーケンスおよびシーケンス構成情報を端末装置に送信することと、を備え、前記シーケンス構成情報は、前記端末装置に対して送信された初期基準信号シーケンスを取得することができるパラメータを示す。
【０００９】
本開示の第２の態様によれば、無線通信システムにおいて基準信号受信の方法が提供される。 この方法は、ネットワーク側から送信された基準信号シーケンスと、前記端末装置に対して送信された初期基準信号シーケンスを取得するためのパラメータを示すシーケンス構成情報と、を受信することと、前記シーケンス構成情報に基づいて前記端末装置に対する初期基準信号シーケンスを取得することと、を備える。
【００１０】
本開示の第３の態様によれば、無線通信システムにおける基準信号送信の装置が提供される。装置は、基準信号生成モジュールと、シーケンスおよび情報送信モジュールとを備える。基準信号生成モジュールは、ネットワーク側の周波数範囲構成に基づいて、それら自身の基準信号送信構成をそれぞれ割り当てられた端末装置の少なくともいくつかのによって共有される共通基準信号シーケンスを生成するように構成される。シーケンス及び情報送信モジュールは、前記共通基準信号シーケンス及びシーケンス構成情報を端末装置に送信するように構成され、前記シーケンス構成情報は、前記端末装置に対して送信された初期基準信号シーケンスを取得することができるパラメータを示す。
【００１１】
本開示の第４の態様によれば、無線通信システムにおいて基準信号を受信する装置が提供される。装置は、シーケンス及び信号受信モジュールと、シーケンス取得モジュールとを備える。シーケンス及び信号受信モジュールは、ネットワーク側から送信された基準信号シーケンスと、前記端末装置に対して送信された初期基準信号シーケンスを取得するためのパラメータを示すシーケンス構成情報と、を受信するように構成される。シーケンス取得モジュールは、前記シーケンス構成情報に基づいて前記端末装置に対する前記初期基準信号シーケンスを取得するように構成される。
【００１２】
本開示の第５の態様によれば、コンピュータプログラムコードを具現化したコンピュータ可読記憶媒体が提供され、前記コンピュータプログラムコードは、実行されると、第１の態様のいずれかの実施形態による方法内の動作を装置に実行させるように構成される。
【００１３】
本開示の第６の態様によれば、コンピュータプログラムコードを具現化したコンピュータ可読記憶媒体が提供され、前記コンピュータプログラムコードは、実行されると、第２の態様のいずれかの実施形態による方法内の動作を装置に実行させるように構成される。
【００１４】
本開示の第７の態様によれば、前記第５の態様によるコンピュータ可読記憶媒体を備えるコンピュータプログラム製品が提供される。
【００１５】
本開示の第８の態様によれば、前記第６の態様によるコンピュータ可読記憶媒体を備えるコンピュータプログラム製品が提供される。
【００１６】
本開示の実施形態では、ダイナミック帯域幅割り当ておよび／または構成可能な基準信号パターンを有する無線通信システム（特に新しい無線アクセスシステム）のための複雑さの低い基準信号シーケンス解決策が提案される。共通基準信号シーケンスは、帯域幅割り当ておよび／または基準信号パターン構成のような基準信号伝送構成に関係なく、少なくともいくつかの端末装置によって生成および共有される。したがって、たとえそれらが異なる帯域幅割り当ておよび／または構成可能な基準信号パターンを構成されていても、ＵＥのためのＲＳ測定およびマルチユーザスケジューリングを実行することが可能である。さらに、干渉セルからの基準信号が得られやすいので、それはより良い干渉除去を達成することができる。さらに、端末装置が異なる帯域割り当ておよび／またはＲＳパターン構成に対して少数（例えば１つだけ）の基準信号シーケンスを生成することを必要とするだけであり、これはより複雑でない解決策を意味する。
【図面の簡単な説明】
【００１７】
本開示の上記および他の特徴は、添付の図面を参照しながら実施形態に示される実施形態の詳細な説明を通してより明らかになるであろう。図面全体を通して、同じ参照番号は同じまたは類似の構成要素を表す。
【００１８】
【図１】図１は、ＬＴＥシステムにおけるシステム帯域幅構成を概略的に示す。
【００１９】
【図２】図２は、ＮＲシステムにおけるダイナミック帯域幅割り当てに関連する潜在的な問題の例を概略的に示す。
【００２０】
【図３】図３は、ＮＲシステムにおける設定ＲＳパターンに関連付けられた潜在的な問題の例を概略的に示す。
【００２１】
【図４】図４は、本開示の例示の実施形態による基準信号送信のための方法のフローチャートを概略的に示す。
【００２２】
【図５】図５は、本開示の例示的実施形態による、異なる周波数帯域割り当てを有するそれぞれのＵＥについての共通ＲＳシーケンスおよびＲＳシーケンスを概略的に示す。
【００２３】
【図６】図６は、本開示の別の実施形態による例示的な共通ＲＳシーケンスの生成を概略的に示す。
【００２４】
【図７】図７は、本開示のさらなる実施形態による、固定インデックスを用いた例示的な共通ＲＳシーケンスの生成を概略的に示す。
【００２５】
【図８】図８は、本開示のまたさらなる実施形態による、固定インデックスを用いた例示的な共通ＲＳシーケンスの生成を概略的に示す。
【００２６】
【図９】図９は、本開示のなおさらなる実施形態による構成可能なＲＳパターンを有するＵＥのための例示的な共通ＲＳシーケンスを概略的に示す。
【００２７】
【図１０】図１０は、本開示の一実施形態による、異なるＲＳ密度を有するそれぞれのＵＥについての共通ＲＳシーケンスおよびＲＳシーケンスを概略的に示す。
【００２８】
【図１１】図１１は、本開示の別の例示的実施形態による、時間領域において異なるＲＳ構成を有するそれぞれのＵＥについての共通ＲＳシーケンスおよびＲＳシーケンスを概略的に示す。
【００２９】
【図１２】図１２は、本開示の別の例示的実施形態による、周波数領域における異なる帯域割り当ておよび時間領域における異なるＲＳ構成を有するそれぞれのＵＥについての共通ＲＳシーケンスおよびＲＳシーケンスを概略的に示す。
【００３０】
【図１３】図１３は、本開示の実施形態によるＲＳシーケンス内の変調シンボルの異なる可変モードを概略的に示す。
【図１４】図１４は、本開示の実施形態によるＲＳシーケンス内の変調シンボルの異なる可変モードを概略的に示す。
【図１５】図１５は、本開示の実施形態によるＲＳシーケンス内の変調シンボルの異なる可変モードを概略的に示す。
【００３１】
【図１６Ａ】図１６Ａは、本開示の一実施形態による、密度が異なるシンボルのための共通ＲＳシーケンスの生成を概略的に示す。
【図１６Ｂ】図１６Ｂは、本開示の一実施形態による、密度が異なるシンボルのための共通ＲＳシーケンスの生成を概略的に示す。
【００３２】
【図１７】図１７は、本開示の一実施形態による基準信号受信のための方法のフローチャートを概略的に示す。
【００３３】
【図１８】図１８は、本開示の一実施形態による基準信号送信のための装置のブロック図を概略的に示す。
【００３４】
【図１９】図１９は、本開示の一実施形態による基準信号受信のための装置のブロック図を概略的に示す。
【００３５】
【図２０】図２０は、無線ネットワークにおける基地局のようなサービングノードとして具体化されるか又はそれに含まれることができる装置２０１０と、本明細書でＵＥのようなものとして説明されているような端末装置として具体化されるか又はその中に含まれることができる装置２０２０と、の簡略ブロック図をさらに示す。
【発明を実施するための形態】
【００３６】
以下に添付図面を参照しながら、本開示において提供される解決策を実施形態を通して詳細に説明する。 これらの実施形態は、当業者が本開示をよりよく理解し実施することを可能にするためにのみ提示されており、決して本開示の範囲を限定することを意図していないことを理解されたい。
【００３７】
添付の図面において、本開示の様々な実施形態は、ブロック図、流れ図および他の図で示される。フローチャートまたはブロック内の各ブロックは、特定の論理機能を実行するための１つまたは複数の実行可能命令を含むモジュール、プログラム、またはコードの一部を表すことができ、本開示では、不要ブロックを点線で示す。さらに、これらのブロックは、方法のステップを実行するための特定の順序で示されているが、実際のところ、それらは必ずしも厳密に示された順序に従って実行されなくてもよい。例えば、それらは逆の順序でまたは同時に実行されてもよく、それはそれぞれの動作の性質に依存する。ブロック図および／またはフローチャート中の各ブロック、ならびにそれらの組み合わせは、特定の機能／動作を実行するための専用のハードウェアベースのシステムによって、または専用のハードウェアとコンピュータ命令との組み合わせによって実装され得る。
【００３８】
一般に、特許請求の範囲で使用される全ての用語は、本明細書で他に明確に定義されない限り、技術分野におけるそれらの通常の意味に従って解釈されるべきである。「ａ／ａｎ／ｔｈｅ／ｓａｉｄ［要素、装置、構成要素、手段、ステップなど］」に対するすべての言及は、前記要素、装置、構成要素、手段、ユニットなどの少なくとも１つの例を指すものとして公然と解釈されるべきであり、特に明記しない限り、複数のそのような装置、構成要素、手段、ユニット、ステップなどを排除することなく解釈される。さらに、本明細書で使用される不定冠詞「ａ／ａｎ」は、複数のそのようなステップ、ユニット、モジュール、デバイス、およびオブジェクトなどを除外するものではない。
【００３９】
さらに、本開示の文脈において、ユーザ機器（ＵＥ：User Equipment）は、端末、移動端末（ＭＴ：Mobile Terminal）、加入者局、携帯加入者局、移動局（ＭＳ：Mobile Station）、またはアクセス端末（ＡＴ：Access Terminal）を指すことがあり、ＵＥ、端末、ＭＴ、ＳＳ、携帯加入者局、ＭＳ、またはＡＴの機能の一部または全部が含まれてもよい。さらに、本開示の文脈では、用語「ＢＳ」は、例えば、ノードＢ（ＮｏｄｅＢまたはＮＢ）、発展型ノードＢ（ｅＮｏｄｅＢまたはｅＮＢ）、ｇＮＢ（ＮＲ内のＮｏｄｅＢ）、無線ヘッダ（ＲＨ：Radio Header）、リモート無線ヘッド（ＲＲＨ：Remote Radio Head）、リレー、またはフェムト、ピコなどの低電力ノードを表すことができる。
【００４０】
以下では、本開示の実施形態の理解を容易にするために、ＬＴＥシステムにおけるチャネル状態情報基準信号（ＣＳＩ−ＲＳ：Channel State Information-Reference Signal）シーケンス生成について最初に説明する。
【００４１】
ＬＴＥにおけるＣＳＩ−ＲＳの生成によれば、基準信号シーケンス
2020167712.tif 000003
は、以下によって定義される。
2020167712.tif 000004
ここで、ｎｓは無線フレーム内のスロット番号であり、
2020167712.tif 000005
はスロット内のＯＦＤＭのシンボル番号である。c（i）は擬似乱数列生成器によって生成された擬似乱数列で、次のように初期化される。
2020167712.tif 000006
各ＯＦＤＭシンボルの先頭に以下が付加される。
2020167712.tif 000007
そして、ここで、量
2020167712.tif 000008
がよりレイヤの高い層によって構成されない場合、量
2020167712.tif 000009
は
2020167712.tif 000010
に等しい。
【００４２】
ＣＳＩ基準信号送信用に構成されたサブフレームでは、基準信号シーケンス
2020167712.tif 000011
は、以下に従ったアンテナポートｐ上の基準シンボルとして使用される複素数値変調シンボル
2020167712.tif 000012
にマッピングされるものとする。
2020167712.tif 000013
【００４３】
したがって、ＣＳＩ−ＲＳシーケンスが固定最大長ＮＲＢｍａｘ、ＤＬおよび設定長ＮＲＢＤＬで生成されることは明らかである。設定長ＮＲＢＤＬは、ネットワークでのシステム帯域幅の設定に関連付けられている。
【００４４】
ＣＳＩ−ＲＳシーケンス生成のためのインデックスはＵＥに知られており、ＮＲＢｍａｘ、ＤＬは１１０に固定され、ＮＲＢＤＬは物理放送チャネル（ＰＢＣＨ：Physical Broadcast CHannel）から得られ、ＣＳＩ−ＲＳはフルバンド１（full band one）である。したがって、生成されたＣＳＩ−ＲＳはセル内のすべてのＵＥによって共有されることができる。
【００４５】
したがって、ＬＴＥシステムでは、ＣＳＩ−ＲＳシーケンスは固定最大長で生成され、図１に示すように、システム帯域幅の６つの異なる構成のそれぞれは、同じ中心周波数を有し、生成されたＣＳＩ−ＲＳシーケンスは固定される。したがって、同じセルＩＤに対して、ＣＳＩ−ＲＳシーケンスはセル内のすべてのＵＥに共通である。
【００４６】
しかしながら、ＮＲシステムでは事情が異なるだろう。前述のように、動的／柔軟な帯域幅割り当てはＮＲシステムでサポートされ、したがってＵＥは、ネットワーク側での全システム帯域幅を知らない。さらに、異なるＵＥに異なる周波数帯域が割り当てられる可能性があるため、異なるＵＥは異なる基準信号シーケンスが必要になる可能性がある。既存のＲＳシーケンス生成ソリューションでは、ＵＥのために共有することができる単一のＲＳシーケンスを生成することは不可能である。
【００４７】
図２は、ＮＲシステムにおける動的帯域幅割り当てに関連する潜在的な問題の例を示す。図２に示すように、３つの異なるＵＥ、すなわちＵＥ１、ＵＥ２、およびＵＥ３があり、それらは同じセル内に配置されているが、スケジューリング／測定のために、ＵＥ固有の周波数帯域で設定され、それのそれぞれは、ネットワーク側で設定された全システム帯域の一部だけである。図２に示すように、異なるＵＥの周波数帯域は分離してもよく、また、部分的または完全にオーバーラップすることができる。ＵＥの観点からは、その全帯域幅はＲＦ機能に依存し、ネットワーク側のシステム帯域幅を知ることは必須ではないため、帯域割り当ては明白であるべきである。
【００４８】
そのような場合、動的帯域割り当てを用いたＲＳ構成は、いくつかの問題を引き起こす可能性がある。例えば、セルまたはビーム固有のＲＳについては、それは、ＣＳＩ測定のためのＲＳのように、共通であるかまたはＵＥのグループによって共有されるものとする。さらに、マルチユーザＭＩＭＯスケジューリングを考慮すると、復調ＲＳもまた直交同時スケジューリング（orthogonally co-scheduling）のために統一されるべきである。準直交またはセル間／セル内干渉管理のためのＲＳの異なるシーケンスに対してさえ、ＲＳシーケンスは、高度な干渉除去のために他のＵＥに対して知られることが可能であるべきである。そのような場合、動的帯域割り当てを用いたＲＳ構成は、ＲＳ共有を可能にしないであろうが、問題となるであろう。
【００４９】
さらに、ＮＲシステムでは、ＵＥは、時間／周波数領域でＵＥ固有のＲＳパターン（たとえば、ＵＥ固有のＲＳ密度）を用いて構成することができる。そのような場合、既存のＲＳ生成ソリューションと共通のＲＳを共有することも不可能である。しかしながら、ＵＥが共通シーケンスから必要なＲＳを抽出することができるので、共通ＲＳ生成は、多くの場合、特にＲＳパターンが動的に変更されるときにもまた有益であり得る。さらに、共通のシーケンスは、マルチユーザスケジューリングを容易にすることができる。
【００５０】
図３に示されるように、ＵＥがそれらのＲＳシーケンスを別々に生成する場合、ＲＥ上で受信された信号は、Ｙ１およびＹ２であり、それらはそれぞれ以下のように表される。
2020167712.tif 000014
しかしながら、そのような場合、図３に示されるように、異なるＲＳパターンに対して直交性は保証され得ず、これは各ＵＥに対するチャネルＨ１およびＨ２が推定できないことを意味する。さらに、各ＵＥは、他のＵＥに干渉を引き起こす可能性があり、高度なＵＥでは、他のＵＥからの干渉を差し引くことができない。したがって、レガシーＲＳシーケンス生成は、異なるＲＳパターン、特にマルチユーザスケジューリングのために、要件も満たすことができない。
【００５１】
上記を考慮して、本開示では、ＵＥ帯域幅またはＲＳパターン構成とは無関係の共通ＲＳシーケンス設計ソリューションが提案される。共通ＲＳシーケンス設計によって、それら自身のＲＳ送信構成を有するＵＥのグループは、測定およびマルチユーススケジューリングのためのそれらのＲＳのような共通ＲＳシーケンスを共有することができる。さらに、干渉セルからのＲＳが取得されやすいので、それは、より良い干渉除去を達成するかもしれない。さらに、ＵＥは、異なる帯域割り当て／パターン構成のためにいくつかのシーケンス（例えば１つだけ）を生成するだけでよく、それはＲＳシーケンス生成においてより少ない複雑さを意味する。
【００５２】
以下では、添付の図面を参照して、本明細書で提案されるような基準信号送信および受信のための解決策を説明する。しかしながら、これらの説明は例示目的のためにのみなされ、本開示はそれに限定されないことに留意されたい。
【００５３】
最初に図４を参照すると、それは本開示の実施形態による無線通信システムにおける基準信号送信の方法４００のフローチャートを概略的に示す。方法４００は、例えば、ＢＳ、ノードＢ（ＮｏｄｅＢまたはＮＢ）のようなサービングノードにおいて実行することができる。
【００５４】
図４に示すように、最初にステップ４０１において、ネットワーク側の周波数範囲構成に基づいて共通基準信号シーケンスが生成され、共通基準信号は、それら自身の基準信号送信構成を、それぞれに割り当てられた少なくともいくつかの端末装置によって共有され得る。
【００５５】
本開示の一実施形態では、ネットワーク側でシステム帯域幅に基づいて共通基準信号シーケンスが生成される。言い換えれば、共通基準信号シーケンスの長さは、少なくともネットワーク側の全システム帯域幅に基づいて決定される。
【００５６】
図５に示すように、共通基準信号シーケンスＲ＿ｉは、Ｒ＿０、Ｒ＿１、Ｒ＿２、…、Ｒ＿Ｍ−２、Ｒ＿Ｍ−１からなり、Ｍは基準信号Ｒ＿ｉの長さであり、ネットワーク側のシステム帯域幅に少なくとも関連する。さらに、それはまた、最小サブキャリア間隔（ＳＣＳ：SubCarrier Space）にさらに関連し得る。
【００５７】
シーケンスＲ＿ｉは、擬似ランダムシーケンス発生器によって初期値Ｃ＿ｉｎｉｔで初期化することができる擬似ランダムシーケンスによって定義することができる。初期値Ｃ＿ｉｎｉｔはスロットインデックスｎｓ、シンボルインデックス
2020167712.tif 000015
、ｃｅｌｌ＿ＩＤ  ＮＩＤ、ＵＥ＿ＩＤ  ＵＩＤ、ＣＰタイプＮＣＰ、ＳＣＳ構成のインデックスＮＳＣＳ、リンクタイプＮｌｉｎｋ＿ｔｙｐｅ等の少なくとも一つに関連するパラメータを用いて計算することができる。以下、本開示の例示的な実施形態では、Ｃ＿ｉｎｉｔを決定することができる。
2020167712.tif 000016
ここで、ａｉは各要素の係数であり、ｉ＝０、１、…、であり、パラメータ数ＮＳＣＳは、サブキャリア間隔構成のパラメータであり、ＮＳＣＳの値は、一組の値から選択することができ、サブキャリア間隔に対応する各値Ｎｌｉｎｋ＿ｔｙｐｅは、初期値がダウンリンク、アップリンク、またはサイドリンクであることを示すリンクタイプのパラメータである。端末装置の少なくともいくつかについては、それらは同じＵＩＤを割り当てられ、したがって、それらは生成されたＲＳシーケンスを共有することができることに留意されたい。
【００５８】
本開示の一実施形態では、以下の表をサブキャリア間隔構成を示すために使用することができる。
表１  サブキャリア間隔構成例
2020167712.tif 000017
【００５９】
リンクタイプパラメータＮｌｉｎｋ＿ｔｙｐｅに関して、リンクタイプを示すための方法として、次の表を使用することができる。
表２  リンクタイプの表示例
2020167712.tif 000018
【００６０】
ダウンリンクまたはアップリンクの場合、ＲＳシーケンスは対称的であり、シーケンスは異なる初期値で生成される。
【００６１】
したがって、図５に示されるような長さＭを伴う共通ＲＳシーケンスでは、異なる帯域幅構成を有する異なるＵＥ、例えばシステム周波数帯域内の異なる周波数範囲／位置で構成されたものに対して、それらのそれぞれのＲＳシーケンスは、共通ＲＳシーケンスの異なるインデックスから始まり、異なる長さを有する。図示のように、ＵＥ１のＲＳシーケンスは、ｉ＿ｓｔａｒｔ＿１（共通ＲＳシーケンスのＲ＿３）から始まり、ｉ＿ｅｎｄ＿１（共通ＲＳシーケンスのＲ＿１０）で終了してもよい。ＵＥ２のＲＳシーケンスは、ｉ＿ｓｔａｒｔ＿２（共通ＲＳシーケンスのＲ＿ｉ）から始まり、ｉ＿ｅｎｄ＿２（共通ＲＳシーケンスのＲ＿Ｍ−２）で終了してもよい。ＵＥ３のＲＳシーケンスは、ｉ＿ｓｔａｒｔ＿３（共通ＲＳシーケンスのＲ＿２）から始まり、ｉ＿ｅｎｄ＿３（共通ＲＳシーケンスのＲ＿ｉ＋２）で終了してもよい。言い換えれば、それぞれのＵＥに対するＲＳシーケンスは、それら自身の割り当てられた周波数帯域に対応するであろう。ここで、ＵＥのＲＳシーケンスの開始インデックスは、ＵＥのＲＳシーケンスのインデックスとも呼ばれる。
【００６２】
図４に戻り、ステップＳ４０２において、共通基準信号シーケンスおよびシーケンス構成情報が端末装置に送信され、シーケンス構成情報は、端末装置に対して送信された初期基準信号シーケンスを取得することができるパラメータを示す。
【００６３】
共通ＲＳシーケンスは少なくともいくつかの端末装置に送信されることができ、それぞれの端末装置はそれら自身の割り当てられた帯域でそれぞれ、それら自身のためのＲＳシーケンスを受信する。しかしながら、端末装置はまた、例えば、チャネル測定または同時スケジューリングを実行するために、ＲＳシーケンスの初期変調シンボル（すなわち、チャネルを経ない初期ＲＳシーケンス）を知る必要がある。これにより、端末装置に対して送信された初期基準信号シーケンスを取得することができるパラメータを示すシーケンス構成情報を端末装置にも送信することができる。シーケンス構成情報内で運ばれるパラメータによって、端末装置は、ステップ４０１で説明されたものと同様の方法で生成された共通のＲＳシーケンスからＲＳシーケンスを取得することができる。
【００６４】
本開示の一実施形態では、シーケンス構成情報は、明示的な方法で端末装置に送信され得る。例えば、シーケンス構成情報は、共通基準信号シーケンスにおいて、端末装置用の基準信号シーケンスが位置する位置を示すシーケンス位置情報を含んでもよい。シーケンス位置情報は、以下のいずれかを含み得る。
１）端末装置に対する基準信号シーケンスの開始インデックスおよび終了インデックス、すなわち、ｉ＿ｓｔａｒｔ＿ｕｅ、およびｉ＿ｅｎｄ＿ｕｅ。
２）端末装置に対する基準信号シーケンスの開始インデックスおよび長さ、すなわち、ｉ＿ｓｔａｒｔ＿ｕｅおよびｍ＿ｕｅ。
３）端末装置に対する基準信号シーケンスの終了インデックスおよび長さ、すなわち、ｉ＿ｅｎｄ＿ｕｅおよびｍ＿ｕｅ。
【００６５】
さらに、ＬＴＥにおけるＲＳ生成ソリューションとは異なり、端末装置に対するＲＳシーケンスのインデックスは周波数帯域のインデックスに対応していないことが分かる。このような場合、端末装置の周波数構成に対するオフセット値を端末装置に送信することも可能である。オフセット値は、端末装置に割り当てられた周波数帯域のインデックスに対する、端末装置に対するＲＳシーケンスのインデックスのオフセットを示す。本開示の別の実施形態では、固定周波数位置に対するオフセット値を送信することも可能である。このようにして、端末装置は、そのＲＳシーケンスを取得する方法も知ることができる。
【００６６】
本開示の別の実施形態では、それはまた、共通ＲＳシーケンスの長さＭをＵＥに送信し得る。
【００６７】
本開示の別の実施形態では、シーケンス構成情報を暗黙的に送信することも可能である。言い換えれば、シーケンス構成情報は、他のパラメータから暗黙的に示すことができる。これらのパラメータの例は、端末装置に割り当てられた周波数帯域の境界／長さ、端末装置の周波数帯域構成、端末装置のシーケンス生成初期値を含むが、これらに限定されない。
【００６８】
前述したように、端末装置のためのＲＳシーケンスはそれ自身の割り当てられた帯域幅に対応しており、したがって端末装置に割り当てられた周波数帯域の境界／長さは暗黙のうちにシーケンス構成情報を示すために使用できる。さらに、端末装置の帯域が所定の指示値を有する所定の帯域のグループから選択された場合、周波数帯域構成によって、端末装置は所定の値から割り当てられた周波数帯域を学習し、したがってシーケンス構成情報を取得することができる。その上、端末装置がそれ自体からＲＳシーケンスを生成することができるシーケンス初期化値Ｃ＿ｉｎｉｔ＿ｕｅを端末装置に送信することも可能である。Ｃ＿ｉｎｉｔ＿ｕｅは端末装置に固有であるが、共通ＲＳシーケンスに対するＣ＿ｉｎｉｔに由来し、したがって、異なる端末装置に対するＲＳシーケンスのシンボルを同じ周波数または時間位置で同じにする。
【００６９】
前述したが、本開示はネットワーク側でシステム帯域幅に基づいて生成される実施形態を用いて説明されているが、本開示はそれに限定されないことに留意されたい。本開示の一実施形態では、システム帯域幅全体ではなく、端末装置にサービスを提供するノードに対して構成された周波数帯域に基づいて共通ＲＳシーケンスを生成することができる。異なるサービングノードに異なる周波数帯域幅が割り当てられてもよく、そのような場合、ネットワークがその割り当てられた周波数帯域幅に対応する共通ＲＳシーケンスを生成することも可能であることを理解されたい。
【００７０】
例えば、異なる周波数範囲構成の場合、ＲＳシーケンス生成のための開始インデックスは異なり得る。しかしながら、そのような場合、共通の基準信号シーケンスは、異なる周波数範囲構成の全ての可能な周波数範囲をカバーする周波数範囲に基づいて生成されることができる。そのような場合、それは、異なる周波数範囲構成に対するＲＳシーケンスが同じ周波数位置で同じ値を有することを確実にするだろう。
【００７１】
例えば、図６に示すように、周波数範囲１と周波数範囲２の２つの異なる周波数範囲構成がある。言い換えれば、２つの送信および受信点（ＴＲＰｓ：Transmission and Reception Points）／セル、または、１つのセルの２つの構成は、異なる周波数帯域／またはヌメロロジ（numerology）の割り当てで構成されている。ＵＥがＴＲＰ／セル間干渉を測定する必要がある場合、ＲＳシーケンスは、（例えば、重ね合わせ部分に対して）ある領域で同じであるべきである。この場合、２つの周波数範囲の下限に対応する同じ開始位置ｉｄｘ＿ｒｓから共通シーケンスを生成することが可能である。
【００７２】
各ＵＥについて、ＲＳ生成のためのインデックスｉｄｘ＿ｒｓをＵＥに示すことができ、ｉｄｘ＿ｒｓに関するオフセット値ｋもまたＵＥに示すことができる。そのような場合、ＵＥは、例えば、ｉｄｘ＿ｒｓ１＝ｉｄｘ＿ｒｓ＋ｋとして、そのＲＳシーケンスの開始インデックスを決定することができる。あるいは、ｉｄｘ＿ｒｓから独立しており、ＵＥのための帯域／ヌメロロジ割り当てのための開始インデックスｉｄｘ＿ｂ１をＵＥに示すことができる。２つの異なる周波数範囲設定のＲＳシーケンスは、ｉｄｘ＿ｒｓから生成された共通ＲＳシーケンスから取得できる。ＲＳシーケンスパラメータ（例えば、サービングセルおよび隣接セルのための）は、ＵＥに示され得る。パラメータは、開始インデックス、長さ、終了インデックス、オフセット値、ヌメロロジなどのうちの少なくとも１つを含み得る。
【００７３】
本開示の一実施形態では、異なる周波数範囲構成は、異なるサブキャリア間隔構成および異なるサイクリックプレフィックス構成のうちの少なくとも１つを有することができる。
【００７４】
本開示の実施形態では、異なるヌメロロジのためのＲＳシーケンス生成のために、固定インデックスを使用することができる。インデックスは、例えば、同期信号によって、ＵＥによって検出され得る。言い換えれば、異なるヌメロロジ構成におけるヌメロロジについて、共通基準信号シーケンスは、ヌメロロジのすべての可能な周波数範囲をカバーする周波数範囲に基づいて生成することができる。また、シーケンス構成情報を示すために、固定インデックスと固定インデックスに対するオフセット値を用いることができる。
【００７５】
図７は、本開示の一実施形態による、固定インデックスを用いた例示的な共通ＲＳシーケンスの生成を示す図である。図示のように、例えば３つのヌメロロジを含む様々なヌメロロジ構成について、これらのヌメロロジ構成におけるヌメロロジ１、２、および３のそれぞれについて、共通ＲＳシーケンス生成は、固定インデックス、すなわち、それぞれインデックス１、２、または３を使用することができる。すなわち、共通ＲＳシーケンス生成は、ヌメロロジの全ての可能な周波数範囲をカバーする周波数範囲に基づいて生成され、シーケンス構成情報として固定インデックスとオフセット値が使用される。このようにして、同じ周波数位置で基準信号を同じに保つことが可能である。
【００７６】
図８は、本開示の別の実施形態による、固定インデックスを用いた例示的な共通ＲＳシーケンス生成を示す図である。この解決策は、図７の解決策と実質的に同様であるが、インデックスが各周波数範囲の中心位置に固定されているという点で異なる。すなわち、全ての周波数範囲は同じ中心周波数位置を有する。
【００７７】
本開示の別の実施形態では、異なるヌメロロジ用のＲＳシーケンス生成のためのインデックスは、ネットワークによって構成することができる。
【００７８】
以下、本開示は、主に動的帯域幅割り当てを参照して説明されるが、本開示はこれに限定されない。本開示はまた、時間領域における基準信号密度構成、周波数領域における基準信号密度構成、および基準信号周波数オフセット構成のうちの少なくとも１つを含み得る、構成可能なＲＳパターンにおいても使用され得る。そのような場合、共通の基準信号シーケンスが、異なる基準信号構成においてＲＳ送信に使用されるリソースエレメントの全セットにさらに基づいて生成されると有利であろう。
【００７９】
図９に示すように、ＲＳパターンは時間−周波数領域でネストされ、構成可能なＲＳパターンがＮＲシステムでサポートされる場合、様々なＲＳパターン、異なるオフセット伴う、異なる密度を伴う、異なる送信を伴う／伴わない等、図９内の右図に示すようなものがあり得る。このような場合、図９の左図に示すように、異なるＲＳ構成でＲＳ送信に使用されるリソースエレメントのセット全体を取得することができ、したがって、ＲＥおよび関連するＲＥ上の変調シンボルは、セット全体からすべて選択できる。そして、異なる基準信号構成でＲＳ送信に使用されるリソースエレメントの全体セットにさらに基づいて共通ＲＳシーケンスを生成することが可能である。したがって、端末装置のＲＳパターンに対するＲＳシーケンスは、共通ＲＳシーケンスから得ることができる。
【００８０】
異なる基準信号パターン構成におけるＲＳ送信に使用されるリソース要素の全セットに基づいて生成された共通ＲＳシーケンスを用いて、異なる密度のような異なるＲＳパターンを有するＵＥに対して、それらのそれぞれのＲＳシーケンスは共通ＲＳシーケンスを得る。
【００８１】
図１０は、本開示の実施形態による、異なるＲＳ密度を有するそれぞれのＵＥについての共通のＲＳシーケンスおよびＲＳシーケンスを概略的に示す。図示のように、共通ＲＳシーケンスは長さＭを有し、したがってシーケンスは、Ｒ＿ｉ、ｉ＝０、１、…、Ｍ−１によって表すことができる。異なる密度で構成されたＵＥの場合、密度構成はＵＥに通知され得る。異なる密度構成の場合、ＵＥは、共通シーケンスＲ＿ｉから必要なシーケンスを抽出することができる。例えば、密度が１のＵＥの場合、そのシーケンスは、Ｒ＿ｉ、ｉ＝０、１、…、Ｍ−１であり、１／２の密度のＵＥの場合、そのシーケンスは、
2020167712.tif 000019
、またはＲ＿ｉ、ｉ＝１、３、５…である。
【００８２】
同様に、異なるＳＣＳ構成に対して、ＵＥはまた、共通シーケンスから必要なシーケンスを抽出することができる。
【００８３】
例えば、最大密度または最小ＳＣＳ  ｋ０のＵＥの場合、シーケンスは、Ｒ＿ｉ、ｉ＝０、１、…、Ｍ−１である。一方、密度１／ＫまたはＳＣＳ  Ｋ＊ｋ０のＵＥの場合、シーケンスは、次のように表すことができる。
2020167712.tif 000020
ここで、ｉ＿ｓｔａｒｔはシーケンスの開始インデックス、ｉ＿ｅｎｄはシーケンスの終了インデックス、Ｋは密度のパラメータ（１／２密度構成の場合、Ｋ＝２）、または、ＳＣＳのパラメータ（Ｋ・ｋ０、ここで基準ＳＣＳはｋ０である）、ｏはオフセット構成である。これらのパラメータは、個別に設定することも、一緒に設定することもできる。基準ＳＣＳ  ｋ０は、ネットワークによって構成することができる。たとえば、ネットワークによっては、基準ＳＣＳは１５ｋＨｚ、３０ｋＨｚ、６０ｋＨｚ、１２０ｋＨｚ、または２４０ｋＨｚである。
【００８４】
本開示の実施形態では、異なるシンボル／スロットに対して、ＲＳシーケンスは同じであるか、または異なる初期値で生成されることができる。
【００８５】
本開示の別の実施形態では、ＲＳシーケンスは時間−周波数領域に対して生成され得る。周波数領域における１つのＰＲＢ内の基準密度はｄ０（例えば最大密度）で表すことができ、基準ＳＣＳはｋ０（例えば最小ＳＣＳ）で表すことができ、時間領域内の基準密度はｔ０（例えば最大密度）で表すことができる。ＰＲＢの数（ＳＣＳ  ｋ０を基準とする）はＮで表すことができ、帯域幅全体における１つのシンボル内の長さはＬで表すことができ（例えば、Ｌ＝Ｎ＊ｄ０）、シーケンスの最大長さはＭによって（例えばＭ＝Ｌ＊ｔ０）表すことができる。共通シーケンスはＲ＿ｉ、ｉ＝０、１、…、Ｍ−１である。異なる構成を有するＵＥの場合、それは共通のＲＳシーケンスから必要なシーケンスを抽出することができる。
【００８６】
異なるＳＣＳ  ｋｉで構成されたＵＥの場合、図１０に示す場合と同様に、そのＲＳシーケンスはｋｉ／ｋ０ごとに抽出することができる。周波数領域において異なる密度ｄｉで構成されたＵＥの場合、やはり図１０に示す場合と同様に、そのＲＳシーケンスはｄｉ／ｄ０ごとに共通ＲＳシーケンスから抽出することができる。異なる時間密度ｔｉで構成されたＵＥの場合、図１１に示すように、そのＲＳシーケンスはＲＳシーケンスグループから抽出することができる。異なるパターンで構成されたＵＥの場合、そのＲＳシーケンスはそれに応じて共通ＲＳシーケンスから抽出することができる。
【００８７】
時間領域における異なるパターンおよび周波数領域における異なる帯域割り当てで構成されたＵＥの場合、それらのそれぞれのＲＳシーケンスは、図１２に示すように、それらの帯域割り当ておよびそれらのＲＳパターンに対応する共通ＲＳシーケンスから抽出することができる。
【００８８】
本開示の実施形態では、１つのシンボルおよび１つのＰＲＢ内のＲＳ変調シンボルは、似ており、次いで周波数領域において密度が異なるＵＥのＲＳシーケンスは容易に取得することができる。
【００８９】
本開示の別の実施形態では、共通基準信号シーケンス内の変調シンボルは、周波数領域における所定数のサブキャリアと、時間領域における所定数のシンボルと、のうちのいずれかによって変化する。
【００９０】
図１３に示すように、共通ＲＳシーケンス内の変調シンボルは、周波数領域内の所定数のサブキャリアによって変化する可能性がある。すなわち、これらのサブキャリア内では、変調シンボルは同じであり得るが、別の所定数のサブキャリア中の変調シンボルとは異なり得る。
【００９１】
代替として、図１４に示されるように、共通ＲＳシーケンス内の変調されたシンボルは、時間領域内の所定数のシンボルによって変化する可能性がある。すなわち、所定数のシンボル内の変調シンボルは同じになるが、他の所定数のシンボルとは異なる可能性がある。
【００９２】
さらに、共通ＲＳシーケンス内の変調シンボルは、図１５に示すように、時間−周波数ブロックによっても変化する可能性がある。すなわち、同じ時間−周波数ブロック内では、変調シンボルは同じであるが、他の時間−周波数ブロックからは、異なるであろう。時間−周波数ブロックは、図１５の左側に示されるように、それらの間に周波数シフトを有さず、または図１５の右側に示されるように、所定の周波数シフトを有し得る。
【００９３】
加えて、異なるシンボル内の１つのＲＳの密度は、図１６Ａ（オフセットなし）および図１６Ｂ（オフセット有り）に示されるように異なり得る。そのような場合、いくつかのオプションがあるかもしれません。第１のオプションでは、ＲＳを含む第１のシンボルに対してＲＳシーケンスを生成し、後続のシンボルの変調シンボルを同じ周波数位置内の最初のシンボルに基づいて生成することができる。たとえば、同じ周波数位置内にある最初のオフセットと同じか、または周波数オフセット（複素数）を乗算したものである。第２のオプションでは、時間−周波数ブロックに対して１つの共通ＲＳシーケンスが生成され、異なるシンボル上の変調シンボルは、共通ＲＳシーケンスから抽出される。第３のオプションでは、各シンボルについてＲＳシーケンスを初期化する。
【００９４】
ＮＲシステムでは、位相トラッキングＲＳ（ＰＴ−ＲＳ）が導入され、これは位相雑音または周波数オフセットを追跡するために使用され、ＲＡＮ１＃８７会議で合意された基準信号である。ＲＡＮ１＃８７の会議における合意によれば、周波数領域におけるＰＴ−ＲＳの密度は、かなり余裕がある可能性がある。そのような場合、ＰＴ−ＲＳのシーケンスは、同じ周波数位置における以前のＤＭＲＳに基づいて生成されることができる。すなわち、ＰＴ−ＲＳは、同じ周波数位置にある以前のＤＭＲＳとの周波数オフセット（複素数値）と同じであるか、または乗算されてもよい。あるいは、設定されたシーケンスインデックスを用いてＰＴ−ＲＳのシーケンスを生成することも可能であり、その場合には、シーケンス設定情報を端末装置に送信することができる。
【００９５】
以上、ネットワーク側での新しいＲＳ解決策に関連する動作について説明した。 以下、図１７を参照して、端末装置側における新しいＲＳ解決策に係る動作について説明する。
【００９６】
図１７は、本開示の例示の実施形態による基準信号受信のための方法のフローチャートをさらに概略的に示す。 方法１７００は、端末装置、例えばＵＥ、または他の同様の端末装置で実施することができる。
【００９７】
図１７に示すように、該方法は、ステップ１７０１から始まり、ＵＥのような端末装置は、ネットワーク側から送信された基準信号シーケンスと、端末装置に対して送信された基準信号シーケンスを取得することができるパラメータを示すシーケンス構成情報と、を受信する。
本開示の一実施形態では、シーケンス構成情報は、例えば、端末装置用の基準信号シーケンスが共通基準信号シーケンス内に位置する位置を示すシーケンス位置情報を含むことができる明示的な情報とすることができる。一例として、シーケンス位置情報は、端末装置に対する基準信号シーケンスの開始インデックスおよび終了インデックス、端末装置の開始インデックスと基準信号シーケンスの長さ、端末装置の周波数構成に対するオフセット値に関連した端末装置の終了インデックスおよび基準信号シーケンスの長さ、及び、固定周波数位置に対するオフセット値のいずれかを含み得る。
【００９８】
本開示の別の実施形態では、シーケンス構成情報は、例えば、端末装置に割り当てられた周波数帯域の境界／長さ、端末装置の周波数帯域構成、および、端末装置のシーケンス生成初期値のいずれかを含む他のパラメータによって示される暗黙の情報とすることができる。
【００９９】
次に、ステップ１７０２において、端末装置に対する初期基準信号シーケンスがシーケンス構成情報に基づいて取得され得る。端末装置では、端末装置は、図４から図１６を参照して説明したものと同様の方法で、共通ＲＳシーケンスを生成することができる。したがって、端末装置は、ステップ１７０２で受信されたシーケンス構成情報に基づいて、その初期ＲＳシーケンスを抽出することができる。したがって、端末装置は、ノードＢなどのサービングノードと、ＵＥなどの端末装置と、の間のチャネルを経由しない初期ＲＳシーケンスを知ることができる。ステップ７０２において、初期ＲＳシーケンスおよび端末装置がその割り当てられた周波数帯域にあるＲＳシーケンスによって、例えばチャネル推定または同時スケジューリングを実行することが可能である。
本開示の一実施形態では、端末装置の初期基準信号シーケンスを取得することは、端末装置のシーケンス構成情報および基準信号パターンに基づいて、端末装置の初期基準信号シーケンスを取得することを含み得る。基準信号パターンは、時間領域における基準信号密度構成、周波数領域における基準信号密度構成、および基準信号周波数オフセット構成のうちの少なくとも１つを含み得る。
【０１００】
したがって、本開示の実施形態では、動的帯域幅割り当ておよび／または構成可能な基準信号パターンを有する無線通信システム（特に新しい無線アクセスシステム）について、複雑度が低い基準信号シーケンス解決策が提案され、帯域幅割り当ておよび／または基準信号パターン構成などの基準信号送信構成に関係なく、１つの共通の基準信号シーケンスが生成され、少なくともいくつかの端末装置によって共有することができる。したがって、たとえそれらが異なる帯域幅割り当ておよび／または構成可能な基準信号パターンを構成されていても、ＵＥのためのＲＳ測定およびマルチユーザスケジューリングを実行することが可能である。さらに、干渉セルからの基準信号が得られやすいので、それはより良い干渉除去を達成することができる。さらに、端末装置が、異なる帯域割り当ておよび／またはＲＳパターン構成に対して少数（例えば１つだけ）の共通基準信号シーケンスを生成することを必要とするだけであり、これはより複雑さが低い解決策を意味する。
【０１０１】
さらに、本開示では、無線通信システムにおけるサービングノードおよび端末装置で、それぞれ基準信号を送信および受信するための装置も提供され、これについては、図１８および図１９を参照して次に説明する。
【０１０２】
図１８は、本開示の実施形態による無線通信システムにおける基準信号送信のための装置１８００のブロック図を概略的に示す。装置１８００は、サービングノード、例えば、ノードＢ（ＮｏｄｅＢまたはＮＢ）のようなＢＳで実施することができる。
【０１０３】
図１８に示すように、装置１８００は、基準信号生成モジュール１８０１と、シーケンスおよび情報送信モジュール１８０２とを含み得る。基準信号生成モジュール１８０１は、ネットワーク側の周波数範囲構成に基づいて、それら自体の基準信号送信構成がそれぞれ割り当てられた少なくともいくつかの端末装置によって共有される共通基準信号シーケンスを生成するように構成され得る。シーケンスおよび情報送信モジュール１８０２は、共通基準信号シーケンスおよびシーケンス構成情報を端末装置に送信するように構成され、該シーケンス構成情報は、端末装置に対して送信された初期基準信号シーケンスを取得するためのパラメータを示す。
【０１０４】
本開示の一実施形態では、シーケンス構成情報は、端末装置のための基準信号シーケンスが共通基準信号シーケンス中に位置する位置を示すシーケンス位置情報を含み得る。
【０１０５】
本開示の別の実施形態では、シーケンス位置情報は、端末装置に対する基準信号シーケンスの開始インデックスと終了インデックス、端末装置の開始インデックスと基準信号シーケンスの長さ、端末装置の終了インデックスと基準信号シーケンスの長さ、および、端末装置の周波数構成に対するオフセット値と固定周波数位置に対するオフセット値、のいずれかを含み得る。
【０１０６】
本開示のさらなる実施形態において、シーケンス構成情報は、端末装置に割り当てられた周波数帯域の境界／長さ、端末装置の周波数帯域構成、及び、端末装置のシーケンス生成初期値、のいずれかによって示され得る。
【０１０７】
本開示のなおさらなる実施形態では、ネットワーク側の周波数範囲構成は、システム帯域幅、および、端末装置にサービスを提供するノードに設定された周波数帯域のいずれかを含み得る。
【０１０８】
本開示のなおさらなる実施形態では、基準信号送信構成は、帯域割り当て、時間領域における基準信号密度構成、周波数領域における基準信号密度構成、および、基準信号周波数オフセット構成、のうちの少なくとも１つを備える。
【０１０９】
本開示の別の実施形態では、基準信号生成モジュール１８０１は、異なる周波数範囲構成に対して、異なる周波数範囲構成のすべての可能な周波数範囲をカバーする周波数範囲に基づいて共通の基準信号シーケンスを生成するようにさらに構成され得る。異なる周波数範囲構成は、異なるサブキャリア間隔構成および異なるサイクリックプレフィックス構成のうちの少なくとも１つを有し得る。
【０１１０】
本開示のさらなる実施形態では、基準信号生成モジュール１８０１はさらに、異なる基準信号構成でＲＳ送信に使用されるリソースエレメントの全セットにさらに基づいて、共通基準信号シーケンスを生成するように構成され得る。
【０１１１】
本開示のなおさらなる実施形態では、共通基準信号シーケンス中の変調シンボルは、時間−周波数ブロック、周波数領域における所定数のサブキャリア、および、時間領域における所定の数のシンボル、のいずれかによって変化し得る。
【０１１２】
本開示のなおさらなる実施形態では、シンボル内の基準信号シーケンス内の変調シンボルは、同じ周波数位置内の前のシンボル内の基準信号シーケンス内の変調シンボルに基づいて生成され得る。
【０１１３】
本開示の別の実施形態では、シンボル内の基準信号シーケンスは、前のシンボル内の基準信号シーケンスとは異なる密度および異なる周波数オフセットのうちの少なくとも１つを有することができる。
【０１１４】
図１９は、本開示の一実施形態による無線通信システムにおいて基準信号を受信するための装置１９００のブロック図をさらに概略的に示す。装置１９００は、端末装置、例えばＵＥ、または他の同様の端末装置に実装することができる。
【０１１５】
図１９に示すように、装置１９００は、シーケンスおよび信号受信モジュール１９０１と、シーケンス取得モジュール１９０２と、を含み得る。信号受信モジュール１９０１は、ネットワーク側から送信された基準信号シーケンスと、端末装置に対して送信された基準信号シーケンスを取得することができるパラメータを示すシーケンス構成情報と、を受信するように構成することができる。シーケンス取得モジュール１９０２は、シーケンス構成情報に基づいて端末装置のための初期基準信号シーケンスを取得するように構成することができる。
【０１１６】
本開示の一実施形態では、シーケンス取得モジュール１９０２はさらに、端末装置のシーケンス構成情報および基準信号パターンに基づいて端末装置の初期基準信号シーケンスを取得するように構成することができる。
【０１１７】
以上、図１８および図１９を参照して装置１８００および１９００について説明した。装置１８００および１９００は、図４から１７を参照して説明したような機能を実施するように構成され得ることに留意されたい。したがって、これらの装置内のモジュールの動作に関する詳細については、図４から１７を参照して方法のそれぞれのステップに関して行われたそれらの説明を参照することができる。
【０１１８】
装置１８００および１９００の構成要素は、ハードウェア、ソフトウェア、ファームウェア、および／またはそれらの任意の組み合わせで具現化され得ることにさらに留意されたい。例えば、装置１８００および１９００の構成要素は、回路、プロセッサ、または他の任意の適切な選択装置によってそれぞれ実装され得る。
【０１１９】
当業者であれば、前述の実施例は例示のためだけであり、限定ではなく、本開示がそれらに限定されないことを理解するであろう。本明細書で提供される教示から多くの変形、追加、削除、および修正を容易に想到することができ、これらすべての変形、追加、削除、および修正は本開示の保護範囲に含まれる。
【０１２０】
さらに、本開示のいくつかの実施形態では、装置１８００および１９００のそれぞれは少なくとも１つのプロセッサを含み得る。本開示の実施形態と共に使用するのに適した少なくとも１つのプロセッサは、例として、既に知られているかまたは将来開発される汎用プロセッサおよび特殊用途プロセッサの両方を含み得る。装置１８００および１９００のそれぞれは、少なくとも１つのメモリをさらに含み得る。少なくとも１つのメモリは、例えば、ＲＡＭ、ＲＯＭ、ＥＰＲＯＭ、ＥＥＰＲＯＭ、およびフラッシュメモリ装置などの半導体メモリ装置を含むことができる。少なくとも１つのメモリは、コンピュータ実行可能命令のプログラムを格納するために使用され得る。プログラムは、高水準および／または低水準の適合性のある、または解釈可能な任意のプログラミング言語で書くことができる。実施形態によれば、コンピュータ実行可能命令は、少なくとも１つのプロセッサを用いて、装置１８００および１９００に少なくとも図４から１７のそれぞれを参照して説明した方法による動作を実行させるように構成され得る。
【０１２１】
図２０は、無線ネットワークにおける基地局のようなサービングノードとして具体化されるか又はそれに含まれることができる装置２０１０と、本明細書に記載されているＵＥのような端末装置として具体化されるか又はそれに含まれることができる装置２０２０の簡易的なブロック図をさらに示す。
【０１２２】
装置２０１０は、データプロセッサ（ＤＰ：Data Processor）などの少なくとも１つのプロセッサ２０１１と、プロセッサ２０１１に結合された少なくとも１つのメモリ（ＭＥＭ：MEMory）２０１２とを備える。装置２０１０は、プロセッサ２０１１に結合された送信機ＴＸおよび受信機ＲＸ２０１３をさらに含み、それは、装置２０２０に通信可能に接続するように動作可能である。ＭＥＭ２０１２は、プログラム（ＰＲＯＧ：PROGram）２０１４を格納する。ＰＲＯＧ２０１４は、関連するプロセッサ２０１１上で実行されると、装置２０１０が本開示の実施形態、例えば方法４００に従って動作することを可能にする命令を含むことができる。少なくとも１つのプロセッサ２０１１と少なくとも１つのＭＥＭ２０１２の組み合わせは、本開示の様々な実施形態を実施するようになっている処理手段２０１５を形成することができる。
【０１２３】
装置２０２０は、ＤＰなどの少なくとも１つのプロセッサ２０２１と、プロセッサ２０２１に結合された少なくとも１つのＭＥＭ２０２２とを備える。装置２０２０は、装置２０１０との無線通信のために動作可能であり得るプロセッサ２０２１に結合された適切なＴＸ／ＲＸ２０２３をさらに含み得る。ＭＥＭ２０２２は、ＰＲＯＧ２０２４を格納する。ＰＲＯＧ２０２４は、関連するプロセッサ２０２１上で実行されたときに、装置２０２０が本開示の実施形態に従って動作すること、例えば、方法１７００を実行することを可能にする命令を含むことができる。少なくとも１つのプロセッサ２０２１と少なくとも１つのＭＥＭ２０２２の組み合わせは、本開示の様々な実施形態を実施するようになっている処理手段２０２５を形成することができる。
【０１２４】
本開示の様々な実施形態は、プロセッサ２０１１、２０２１のうちの１つまたは複数によって実行可能なコンピュータプログラム、ソフトウェア、ファームウェア、ハードウェア、またはそれらの組合せによって実装され得る。
【０１２５】
ＭＥＭ２０１２および２０２２は、ローカルの技術的環境に適した任意の種類のものでよく、半導体ベースのメモリデバイス、磁気メモリデバイスおよびシステム、光メモリデバイスおよびシステム、固定メモリ、ならびに非限定的な例としてのリムーバブルメモリなどの任意の適切なデータ記憶技術を使用して実装できる。
【０１２６】
プロセッサ２０１１および２０２１は、ローカルの技術的環境に適した任意のタイプのものでよく、汎用コンピュータ、専用コンピュータ、マイクロプロセッサ、デジタルシグナルプロセッサＤＳＰおよびマルチコアプロセッサアーキテクチャに基づくプロセッサのうちの１つ以上を、非限定的な例として含み得る。
【０１２７】
さらに、本開示はまた、上述のようなコンピュータプログラムを含むキャリアを提供することができ、キャリアは電子信号、光信号、無線信号、またはコンピュータ可読記憶媒体のうちの１つである。コンピュータ可読記憶媒体は、例えば、光学コンパクトディスク、またはランダムアクセスメモリ（ＲＡＭ：Random Access Memory）、リードオンリーメモリ（ＲＯＭ：Read Only Memory）、フラッシュメモリ、磁気テープ、ＣＤ−ＲＯＭ、ＤＶＤ、ブルーレイディスクなどのような電子メモリデバイスであり得る。
【０１２８】
本明細書に記載の技法は、一実施形態で説明した対応する装置の１つまたは複数の機能を実施する装置が従来技術の手段だけではないように、様々な手段によって実施することができ、しかし、それはまた、実施形態で説明された対応する装置の１つまたは複数の機能を実施するための手段であり、各別々の機能ごとに別々の手段、または２つ以上の機能を実行するように構成され得る手段を含み得る。例えば、これらの技術は、ハードウェア（１つ以上の装置）、ファームウェア（１つ以上の装置）、ソフトウェア（１つ以上のモジュール）、またはそれらの組み合わせで実施されてもよい。ファームウェアまたはソフトウェアの場合、本明細書に記載されている機能を実行するモジュール（たとえば、手順、機能など）を介して実装することができる。
【０１２９】
本明細書における例示的な実施形態は、方法および装置のブロック図およびフローチャート図を参照して上記で説明されてきた。ブロック図およびフローチャート図の各ブロック、ならびにブロック図およびフローチャート図のブロックの組み合わせはそれぞれ、コンピュータプログラム命令を含む様々な手段によって実施できることを理解されよう。これらのコンピュータプログラム命令は、コンピュータまたは他のプログラム可能なデータ処理装置上で実行される命令が指定された機能を実施するための手段を作成するように、機械を製造するために、フローチャートブロックにおいて、汎用コンピュータ、専用コンピュータまたは他のプログラム可能なデータ処理装置にロードされ得る。
【０１３０】
本明細書は多くの具体的な実装の詳細を含むが、これらはいかなる実装の範囲または主張され得るものに対する限定としてではなく、むしろ特定の実装の特定の実施形態に特有であり得る特徴の説明として解釈されるべきである。本明細書において別々の実施形態の文脈で説明されている特定の特徴は、単一の実施形態において組み合わせて実施することもできる。逆に、単一の実施形態の文脈で説明されている様々な特徴はまた、別々にまたは任意の適切なサブコンビネーションで複数の実施形態で実施することができる。さらに、特徴は特定の組み合わせで作用するものとして上に記載され、そして最初にそれ自体として主張されてもよいが、主張された組み合わせからの１つ以上の特徴は組み合わせから切り取られ得る。そして、請求された組み合わせは、サブコンビネーションまたはサブコンビネーションの変形に向けられてもよい。
【０１３１】
技術が進歩するにつれて、本発明の概念が様々な方法で実施され得ることは当業者には明らかであろう。上述の実施形態は、本開示を限定するのではなく説明するために与えられており、当業者が容易に理解するように、本開示の精神および範囲から逸脱することなく修正および変形に頼ることができる。そのような修正形態および変形形態は、本開示および添付の特許請求の範囲の範囲内にあると見なされる。本開示の保護範囲は、添付の特許請求の範囲によって定義される。
【図１】
2020167712.tif 000021
【図２】
2020167712.tif 000022
【図３】
2020167712.tif 000023
【図４】
2020167712.tif 000024
【図５】
2020167712.tif 000025
【図６】
2020167712.tif 000026
【図７】
2020167712.tif 000027
【図８】
2020167712.tif 000028
【図９】
2020167712.tif 000029
【図１０】
2020167712.tif 000030
【図１１】
2020167712.tif 000031
【図１２】
2020167712.tif 000032
【図１３】
2020167712.tif 000033
【図１４】
2020167712.tif 000034
【図１５】
2020167712.tif 000035
【図１６Ａ】
2020167712.tif 000036
【図１６Ｂ】
2020167712.tif 000037
【図１７】
2020167712.tif 000038
【図１８】
2020167712.tif 000039
【図１９】
2020167712.tif 000040
【図２０】
2020167712.tif 000041